(57)【特許請求の範囲】
【請求項１】
建物に設けた人の出入口・窓の開口あるいは収納室の物の出し入れ口の開口部の外枠に丁番を介して枢着された扉本体が同開口部を開閉する扉の取付構造において、前記丁番の枢軸に回転自在に取付けられて且つ建物の外枠又は扉本体のいずれかに軸体外周にねじを螺刻して頭部が拡径したねじ又はボルトの連結具を複数用いて固着する一対の丁番の取付面板のうち、外枠に固着する側の取付面板には円形状の前記連結具を挿入する取付孔を複数設け、扉本体に固着する側の取付面板に設けた前記連結具を挿入する取付孔を複数設けるとともにその取付孔の孔形状を扉本体の取付位置を外枠に対して移動させるシフト方向に長く延びた長孔とし、又同扉本体側の取付面板に開口を設け、同開口の口縁と同形状の外形を有する別体の平板に連結具を挿入する円形状の取付孔を所定位置に設けた位置設定用嵌合体を前記開口に嵌合し、前記扉本体側の取付面板の長円状の取付孔と外枠側の取付面板の円形状の取付孔及び嵌合体の円形状の取付孔にそれぞれ連結具を挿入して取付孔から突出した軸体先端のねじ部を外枠又は扉本体に設けたタップとねじ螺合して固着する構造とし、嵌合体の取付孔の孔位置を前記扉本体側の取付面板の長円状の取付孔の長く延ばした前記シフト方向に変えることで扉本体と外枠との閉時の間隙を調整できることを特徴とする、扉の取付構造。
【請求項２】
前記扉本体の取付位置を前記外枠に対し移動させる前記シフト方向を前記丁番の鉛直な枢軸と直交する左右水平方向とした、請求項１記載の扉の取付構造。
【請求項３】
前記扉本体側の前記取付面板に設けた前記開口の平面形状及び前記嵌合体の外形状が円形状であり、嵌合体の円形状取付孔は嵌合体の中心から偏心した位置に設けられた、請求項１又は２記載の扉の取付構造。
【請求項４】
扉本体側の前記取付面板に設けた前記開口の平面形状及び前記嵌合体の外形状が楕円形状である、請求項１又は２記載の扉の取付構造。
【請求項５】
扉本体側取付面板の開口の口縁が、扉本体側に向けて縮径した傾斜面であり、又嵌合体の外縁が扉本体側に向けて縮径した傾斜したもので、上記傾斜面で嵌合して嵌合体の外縁が開口縁の上側となるように嵌合した、請求項１〜４いずれか記載の扉の取付構造。
【発明の詳細な説明】
【技術分野】
【０００１】
本発明は、建築物の人の出入口・窓の開口・収納室の物の出し入れ口等の開口部の外枠に丁番で枢着した扉本体でその開口部を開閉できるようにした扉の取付構造であって、外枠に対する扉本体の取付位置を水平方向・垂直方向又は斜め方向に移動できる技術に関する。
【背景技術】
【０００２】
前記の丁番を使用して開口部の外枠に扉本体を取付け、開口部を開閉する扉の取付構造は広く使用され、周知の構造である。
しかし、この扉を長年使用して劣化することで、あるいは地震・建物の不等沈下等があると、開口部自体及び外枠の変形・変位又は扉本体の変形が生じ、扉本体の開閉動作に支障が生じたり、開閉が円滑でなくなったりする。あるいは、扉本体が直接外枠に当って閉鎖が困難となる問題が生起していた。
【０００３】
このような場合の解決法として、建物の開口部と扉全体の全面補修と扉の取り替え工事を行えば問題を解消するが、補修費が嵩むものであった。
又、扉の開閉に問題がなくとも、扉を閉じた状態における外枠と扉本体との間隙から雨水・外気の空気流（風）の進入・室内から室外へ又はその逆の室外から室内への騒音の伝播による騒音の問題、室内の空調の有効性保持又は扉本体の閉時の衝突音の問題点を解決する為に間隙の寸法を小さく調整することで問題点を軽減できるが、その間隙調整は困難であった。別の解決法として、扉本体と外枠との間の雨水・空気流・騒音遮断の気密ゴム又は扉閉時の衝撃振動を抑える気密ゴムを取付ける方法があるが、その気密ゴムを取付ける間隙の確保が従来の扉構造では難しいもので、気密ゴムによる解決ができないケースがあった。
更に、扉本体と出入口の開口周縁との間の上下・左右間隙を調整できる蝶番が特許文献１に開示されている。この特許文献１の構造は、出入り口の開口と扉本体との間の上下左右の隙間を調整できる舌片を進退自在に蝶番のヒンジ板に取付け、それを進退方向に移動量を決める調整ねじでの隙間寸法を決める構造である。
しかし、この構造では扉本体の外周に舌片が突出するので開口を出入りする人・物がその舌片で傷つく可能性があり、安全上問題がある。
又、長年使用した開口が変形・変位した場合、舌片の先端が開口部の隙間を閉鎖できず、隙間が残るものと判断される。又、気密性ゴムの取付けも舌片では難しいという問題点がある。
【先行技術文献】
【特許文献】
【０００４】
【特許文献１】特開平８−１２１００８号公報
【発明の概要】
【発明が解決しようとする課題】
【０００５】
従来の丁番を使った扉の取付構造の上記問題点を解消するもので、扉本体と外枠との間隙の寸法調整及び扉本体の外枠に対する取付位置の変更が丁番の交換又は嵌合体の取付孔の位置が違う適切な嵌合体の交換によって容易に迅速に行え、且つ安価な補修費用で済むという、扉の取付構造を提供することにある。
【課題を解決するための手段】
【０００６】
かかる課題を解決した本発明の構成は、
１）  建物に設けた人の出入口・窓の開口あるいは収納室の物の出し入れ口の開口部の外枠に丁番を介して枢着された扉本体が同開口部を開閉する扉の取付構造において、前記丁番の枢軸に回転自在に取付けられて且つ建物の外枠又は扉本体のいずれかに軸体外周にねじを螺刻して頭部が拡径したねじ又はボルトの連結具を複数用いて固着する一対の丁番の取付面板のうち、外枠に固着する側の取付面板には円形状の前記連結具を挿入する取付孔を複数設け、扉本体に固着する側の取付面板に設けた前記連結具を挿入する取付孔を複数設けるとともにその取付孔の孔形状を扉本体の取付位置を外枠に対して移動させるシフト方向に長く延びた長孔とし、又同扉本体側の取付面板に開口を設け、同開口の口縁と同形状の外形を有する別体の平板に連結具を挿入する円形状の取付孔を所定位置に設けた位置設定用嵌合体を前記開口に嵌合し、前記扉本体側の取付面板の長円状の取付孔と外枠側の取付面板の円形状の取付孔及び嵌合体の円形状の取付孔にそれぞれ連結具を挿入して取付孔から突出した軸体先端のねじ部を外枠又は扉本体に設けたタップとねじ螺合して固着する構造とし、嵌合体の取付孔の孔位置を前記扉本体側の取付面板の長円状の取付孔の長く延ばした前記シフト方向に変えることで扉本体と外枠との閉時の間隙を調整できることを特徴とする、扉の取付構造
２）  前記扉本体の取付位置を前記外枠に対し移動させる前記シフト方向を前記丁番の鉛直な枢軸と直交する左右水平方向とした、前記１）記載の扉の取付構造
３）  前記扉本体側の前記取付面板に設けた前記開口の平面形状及び前記嵌合体の外形状が円形状であり、嵌合体の円形状取付孔は嵌合体の中心から偏心した位置に設けられた、前記１）又は２）記載の扉の取付構造
４）  扉本体側の前記取付面板に設けた前記開口の平面形状及び前記嵌合体の外形状が楕円形状である、前記１）又は２）記載の扉の取付構造
５）  扉本体側取付面板の開口の口縁が、扉本体側に向けて縮径した傾斜面であり、又嵌合体の外縁が扉本体側に向けて縮径した傾斜したもので、上記傾斜面で嵌合して嵌合体の外縁が開口縁の上側となるように嵌合した、前記１）〜４）いずれか記載の扉の取付構造
にある。
【発明の効果】
【０００７】
本発明によれば、丁番の扉本体側に固着する取付面板の連結具の取付孔の形状を、扉本体の取付位置の移動のシフト方向に長くした長孔としたことによって、扉本体の取付位置を長孔の長くしたシフト方向で１〜７ｍｍ程変更できる。そのシフトの寸法は嵌合体の円形状の取付孔の適切な位置の嵌合体を使用（選択）し、その取付孔に連結具を挿入して扉本体に固着することでそのシフト寸法が決定し、この位置で連結具（ねじ・ボルト）で緊締することで扉本体をシフト方向の所要の位置に取付けることができる。
【０００８】
このように、扉本体を外枠に対してシフト方向の所要位置に取付けることができることで、外枠が変形・変位した場合には、その変形・変位の影響を避けることができる支障がないシフト方向の長孔の取付面板の丁番を選び、又そのシフト方向の取付位置の寸法はそれを可能とする嵌合体の適切な位置に設けた円形状取付孔のものを選択すればよく、複数のシフト方向の長孔の扉本体側取付面板を用意し、又円形状取付孔の位置が異なる複数の嵌合体を用意していれば、その選択のみで扉本体の取付位置を変更でき、外枠の変形・変位に対してかなり対応できる。又、外枠と扉本体との間隙も嵌合体の取付孔の位置選択で調整でき、間隙を狭くすることも又気密ゴムの間装を可能にするやや広めの間隙にすることも容易にでき、従来の問題点をかなり解消できるものとなった。
【０００９】
本体側取付面板の開口・嵌合体が円形状で且つ嵌合体の円形状取付孔が嵌合体の円中心から偏心した位置に設けられれば、一つの嵌合体はその方向を変えて２つの取付位置を可能にできる。
【図面の簡単な説明】
【００１０】
【図１】図１は実施例の要部である丁番の取付面板を拡げた状態を示す正面図である。
【図２】図２は実施例の丁番の平面図である。
【図３】図３は実施例の扉の取付状態を示す平面図である。
【図４】図４は実施例の扉本体側取付面板の開口と嵌合体の円形状取付孔との種々の偏心位置に設けた（Ａ），（Ｂ），（Ｃ）タイプの例を示す説明図である。
【図５】図５は実施例の丁番の外枠と扉本体との取付状態を示す説明図である。
【図６】図６は実施例の丁番の外枠側の取付面板の皿ネジによる取付け状態を示す説明図である。
【図７】図７は本発明の扉本体側取付面板の開口と嵌合体との種々の外形状例を示す説明図である。
【図８】図８は本発明における種々のシフト方向の例を示す説明図である。
【図９】図９は図４のＸ−Ｘ線における拡大断面図である。
【発明を実施するための形態】
【００１１】
本発明の扉本体側に固着する取付面板の嵌合体及び開口の平面形状は、図７に示すように円形，楕円形，おむすび形，その他四角形，長方形，多角形等の種々の形状のものも使用可能である。又、嵌合体と開口との嵌合させる断面形状（端面形状）として嵌合体の外周縁及び開口の口縁の端面それぞれに取付ける扉本体の方向に向けて縮径するように傾斜面を設け、嵌合体が上となるように開口に嵌合させれば、嵌合体の上面の突出が少なく取付面板を扉本体に強く固定できるので好ましい。このように、端面を傾斜させなくても嵌合体及び開口を直角に遊びもなく、嵌合体を開口に嵌入するだけでも取付面板は位置決めできるので、このタイプも使用可能である。
【００１２】
本発明で、扉本体側の取付面板の長孔の取付孔は孔周縁が孔内側に向って傾斜させることによって、連結具の皿ネジを使用したとき長孔方向（シフト方向）に皿ネジを移動して、所要の位置でその傾斜面で嵌合して強固に連結できるので、連結具として皿ネジを使用する場合好ましい。
【００１３】
本発明は、扉の新設の場合の扉取付構造となるが、既設の扉の改修でも使用できる。この場合は、同じ枢軸で同じ寸法・取付孔位置の取付面板の本発明の所要のシフト方向で、シフト寸法の扉本体側取付板に既設の扉本体側取付面板を交換することで目的を達成できる。よって、既設の扉の補修としても使用できる。特に、既設の扉で外枠又は扉本体に気密ゴム（パッキン）を付設したい場合のその付設の為の扉本体と外枠との間隔（空隙）の寸法を確保したい場合にも使用できる。
【００１４】
一般に丁番は扉には通常複数取り付けられているので、本発明では扉の丁番を全部同じ構造のものとして扉本体が同じ方向で同じ寸法だけシフトできるようにする。尚、扉に一組の丁番のものは、本発明の丁番は一組又は複数組設けるようにしてもよい。
【００１５】
本発明の丁番の連結具は、通常の扉では皿ネジを使用し、同皿ネジの先端を取付ける側（外枠，扉本体）に設けた裏板のタップ（雌ねじ）に螺合して固着するのが通常である。外枠及び扉本体が木製の場合、通常の木ネジでも可能であり、更に頭の突出量が小さなボルトとタップ、又はボルトとナットでの連結でも可能であり、本発明はこれらを含むものである。
【実施例】
【００１６】
本発明の実施例を図面を用いて説明する。
本実施例は、コンクリート建造物の出入口（玄関）に設けられたステンレス製の外枠と扉本体の扉での使用で、丁番は上下２組あって各組の丁番の各取付面板の寸法は６２ｍｍ×６０ｍｍ程で、２０ｍｍ直径の枢軸に取付けられている。そして、外枠側取付面板には取付孔が５個あり、扉本体側の取付面板には鉛直な枢軸と直角な水平方向に１１ｍｍ程延びた長孔の取付孔が４個所あり、その取付面板の中央に口径２０ｍｍ直径の開口を設け、これに外径２０ｍｍの嵌合体を備えている。嵌合体の偏心位置の１ｍｍ，２ｍｍ，３ｍｍに円形状取付孔を設けた３種類の嵌合体が用意されている。これによって、±１ｍｍ，±２ｍｍ，±３ｍｍのシフト量を可能にした例である。
又、連結具は皿ネジを使用し、同皿ネジは外枠・扉本体側外周枠板に熔着された裏板のタップに螺合して固着される。更に、外枠と扉本体との間隙に防音・雨水進入防止・遮風及びドア閉時の衝撃・振動を抑える気密ゴム（パッキン）を付着している。
【００１７】
図面に示す実施例の符号を説明する。
Ｇは実施例の扉の取付構造、Ｄは扉本体、Ｄ１は扉本体Ｄのステンレス製の外周フレーム、Ｄ２は同外周フレームの内部側に熔着した裏板、Ｄ２１は同裏板Ｄ２に設けた皿ネジＪと螺合するタップ、Ｆは建造物の開口部の内周縁に固設したステンレス製の外枠、Ｆ１は同外枠Ｆの内部側に熔着した裏板、Ｆ１２は同裏板に設けたタップである。
Ｔは実施例の丁番、Ｔ１は丁番Ｔの２０ｍｍ直径の枢軸、Ｍ１は丁番Ｔの外枠Ｆに固着する側の取付面板、Ｍ１１は同取付面板Ｍ１の枢軸Ｔ１に回転自在に取付けるためのＣ形状に曲げた抱持部、Ｍ１２は取付面板Ｍ１を外枠Ｆに固着するため５個所設けた円形状の取付孔、Ｍ２は扉本体Ｄ側に固着する取付面板、Ｍ２１は同取付面板Ｍ２を枢軸Ｔ１まわりに回転自在に取付けるためのＣ字状に曲げた抱持部、Ｍ２２は取付面板Ｍ２に４個所設けた枢軸Ｔ１と直角の左右水平方向に延びたシフト用長孔の取付孔であって、孔縁は孔内側に向けて傾斜させている。Ｍ２３は同取付面板Ｍ２の中央に設けた２０ｍｍ直径の円形状開口であって、扉本体Ｄ方向に向って内側へ縮径させて端面を傾斜させている。Ｍ３は丁番Ｔの上下の取付面板Ｍ１，Ｍ２の間に取付けているプラスチック製化粧カラーである。
ＡＤは同開口Ｍ２３に嵌合する２０ｍｍ直径の円形の嵌合体であり、外周縁の端面を傾斜させている。ＡＤ１は嵌合体ＡＤの中心から１ｍｍ，２ｍｍ又は３ｍｍ偏心された位置に設けた円形状の取付孔であって、１，２，３ｍｍのシフト寸法の取付孔を有する３種類の嵌合体ＡＤが用意されている。
又、Ｊは連結具である皿ネジ、Ｐは外枠Ｆ又は扉本体Ｄの外周縁に沿って付着させた断面Ｕ字状の長尺の気密ゴムである。
【００１８】
この実施例では、丁番Ｔの外枠Ｆ側の取付面板Ｍ１をその取付位置に配置し、その取付面板Ｍ１の５個の円形状の取付孔Ｍ１２に連結具の皿ネジＪを挿入し、外枠Ｆの裏板Ｆ１のタップＦ１２に螺合して取付面板Ｍ１を外枠に固着する。
次に、扉本体Ｄ側に固着する取付面板Ｍ２の４個所の長孔の取付孔Ｍ２２に皿ネジＪを挿入する。この時は、皿ネジＪを裏板Ｄ２のタップＤ２１に緩やかに螺合させる。この状態で、取付面板Ｍ２をシフト方向に動かして、所定寸法のシフトした所でそれに応じたシフト量となる嵌合体ＡＤ（例えば、２ｍｍ偏心の取付孔ＡＤ１のもの）を嵌合し、皿ネジＪをその取付孔ＡＤ１に挿入して、扉本体Ｄ側の裏板Ｄ２のタップＤ２１に螺合して仮止めする。このシフト量２ｍｍでよければ、取付面板Ｍ２の全ての取付孔の皿ネジＪを深く螺合して取付面板Ｍ２を扉本体Ｄに固着する。扉にある全ての組の丁番Ｔをこのように設定し、取付面板Ｍ２を扉本体Ｄに固着する。
【００１９】
この結果、扉本体Ｄの外枠Ｆに対する取付位置が水平（左右）方向に２ｍｍシフトさせることができる。これによって、外枠Ｆと扉本体Ｄとの間隙を調整できる。これによって、気密ゴムＰをその間隙に配置して、外枠Ｆ又は扉本体Ｄ側の外周縁に付着できるようになる。又は、多少の外枠の変形・変位に対応できるように扉本体Ｄを取り付け直すことができるようになる。
【００２０】
上記例では、扉本体を水平方向にシフトさせた例であるが、斜め方向・上下方向にも同様に扉本体の取付位置を変更できる。
【００２１】
更に、実施例の外枠側取付面板Ｍ１を取付面板Ｍ２の構造として上下方向にシフトさせれば、上下方向にも扉本体を強くシフトさせることができる。
【産業上の利用可能性】
【００２２】
本発明は、玄関・窓の扉以外にも収納庫の扉にも使用できる。
【符号の説明】
【００２３】
Ｇ    実施例の扉の取付構造
Ｄ    扉本体
Ｄ１    外周フレーム
Ｄ２    裏板
Ｄ２１    タップ
Ｆ    外枠
Ｆ１    裏板
Ｆ１２    タップ
Ｔ    丁番
Ｔ１    枢軸
Ｍ１    取付面板（外枠側）
Ｍ１１    抱持部
Ｍ１２    取付孔
Ｍ２    取付面板（扉本体側）
Ｍ２１    抱持部
Ｍ２２    取付孔（長孔）
Ｍ２３    開口
Ｍ３    化粧カラー
ＡＤ    嵌合体
ＡＤ１    取付孔
Ｊ    皿ネジ
Ｐ    気密ゴム
【図１】
0006472409.tif 000002
【図２】
0006472409.tif 000003
【図３】
0006472409.tif 000004
【図４】
0006472409.tif 000005
【図５】
0006472409.tif 000006
【図６】
0006472409.tif 000007
【図７】
0006472409.tif 000008
【図８】
0006472409.tif 000009
【図９】
0006472409.tif 000010